(57)【特許請求の範囲】
【請求項１】
コネクタヘッド（１００）であって、壁（１２２）を有するブッシュ状のベース部材（１１０）と、端側に設けられる少なくとも１つのケーブル接続要素（１１４）とを有するコネクタヘッド（１００）と、
前記ベース部材（１１０）を受容するためのスライドブッシュ（４００）であって、挿入方向（ｘ）に軸方向に前記ベース部材（１１０）上に嵌合することができるスライドブッシュ（４００）と、
前記スライドブッシュ（４００）と前記ベース部材（１１０）との間に配置され、前記ベース部材（１１０）および前記スライドブッシュ（４００）を互いに対して解除不能に接続するブッシュ状のキャッチスリーブ（２００）とを備えるプラグコネクタであって、
前記キャッチスリーブ（２００）は、ブッシュ壁（２０５）、および、前記ブッシュ壁よりも前記キャッチスリーブ（２００）の外方と内方の両方に部分的に突出するロック手段（２４２）が形成された弾性ロック要素（２４０）、を有し、
前記ベース部材（１１０）は、前記壁（１２２）に、ポジティブロック方式で前記キャッチスリーブの前記弾性ロック要素（２４０）を受容するように形成されたベース部材凹部（１８０）を有し、
前記スライドブッシュ（４００）は、その内壁（４５０）に、前記キャッチフリーブ（２００）の前記ロック手段（２４２）に対してポジティブロック接続を形成するように形成されたキャッチ突起（４２０）を有し、
前記キャッチ突起（４２０）には、
前記スライドブッシュ（４００）が前記ベース部材（１１０）に嵌合した前記キャッチスリーブ（２００）に嵌合する時に、前記キャッチ突起が、前記ロック手段（２４２）を前記ベース部材凹部（１８０）に押し込みつつ、前記ベース部材凹部（１８０）に受容された前記弾性ロック要素（２４０）上をスライドすることができるように、半径方向内向きに突出する内向き先端（４２３）と、嵌合される前記キャッチスリーブ（２００）に向かって前記内向き先端（４２３）から半径方向外向きに延びる傾斜面（４２２）とが設けられている、ことを特徴とするプラグコネクタ。
【請求項２】
前記弾性ロック要素（２４０）は、少なくとも第１の寸法（ｃ）だけ内側が互いから離間する前記ブッシュ壁（２０５）の２つの互いに対向する領域（２１３，２１４）のそれぞれに設けられている、ことを特徴とする請求項１に記載のプラグコネクタ。
【請求項３】
前記弾性ロック要素（２４０）は、
前記キャッチスリーブ（２００）の軸方向に延出し、一つの側で前記キャッチスリーブ（２００）に接続される弾性舌状部（２４７）と、前記弾性舌状部（２４７）の自由端（２４１）に位置する前記ロック手段（２４２）とによってそれぞれ形成され、
前記ロック手段（２４２）は、第１の側（２４３）では、前記挿入方向（ｘ）に対して横方向に且つ半径方向内方に突出し、第２の側（２４４）では、前記挿入方向（ｘ）に対して横方向に且つ半径方向外方に突出し、
前記第１の側（２４３）および前記第２の側（２４４）は、半径方向外向きの第１の外側スライド面（２４５）と、半径方向内向きの内側スライド面（２４６）とによって互いに対して接続され、
前記２つのスライド面（２４５，２４６）は、互いに平行に配置され且つ互いから離間していることを特徴とする、
請求項２に記載のプラグコネクタ。
【請求項４】
前記弾性ロック要素（２４０）は、
前記キャッチスリーブ（２００）の軸方向に延出し一つの側で前記キャッチスリーブ（２００）に接続される弾性舌状部（２４７）と、前記弾性舌状部（２４７）の自由端（２４１）に位置する前記ロック手段（２４２）とにそれぞれよって形成され、
前記ロック手段（２４２）は、第１の側（２４３）では、前記挿入方向（ｘ）に対して横方向に且つ半径方向内方に突出し且つ内側スライド面（２４６）を形成し、第２の側（２４４）では、前記挿入方向（ｘ）に対して横方向に且つ半径方向外方に突出し且つ外側スライド面（２４５）を形成し、
前記２つのスライド面（２４５，２４６）は、前記挿入方向（ｘ）に互いから離間して配置されることを特徴とする、
請求項２に記載のプラグコネクタ。
【請求項５】
前記キャッチスリーブ（２００）は、第１の側（２０２）および第２の側（２０４）を有し、
弾性ロック要素（２４０）が、前記第２の側（２０４）から前記互いに対向する領域（２１３，２１４）にてキャッチスリーブ凹部（２０６）内へ突出し、
前記キャッチスリーブ（２００）の前記第１の側（２０２）では、前記ブッシュ壁（２０５）のウェブ状領域（２７１）が、前記第１の側（２０２）における前記キャッチスリーブ（２００）が連続する縁を有するように、前記弾性ロック要素（２４０）の前記自由端（２４１）から間隔を空けて前記キャッチスリーブ凹部（２０６）を閉じることを特徴とする、
請求項３又は４に記載のプラグコネクタ。
【請求項６】
前記ベース部材凹部（１８０）は、少なくとも第２の寸法（ａ）だけ外側が互いから離間する前記壁（１２２）の２つの互いに対向する領域（１２３，１２４）のそれぞれに設けられることを特徴とする、
請求項２〜５のいずれか一項に記載のプラグコネクタ。
【請求項７】
前記キャッチ突起（４２０）は、少なくとも第４の寸法（ｄ）だけ互いに離間する前記内壁（４５０）の２つの互いに対向する領域（４５１，４５２）のそれぞれに設けられ、
前記キャッチ突起（４２０）の前記内向き先端（４２３）は、少なくとも第３の寸法（ｂ）によって互いから離間されるように設けられることを特徴とする、
請求項６に記載のプラグコネクタ。
【請求項８】
前記キャッチスリーブ（２００）が前記ベース部材（１１０）に嵌合すると、前記弾性ロック要素（２４０）は、半径方向外方に変位し、
前記弾性ロック要素（２４０）は、前記ベース部材（１１０）の前記ベース部材凹部（１８０）内において完全に挿入された位置に到達した後、前記弾性ロック要素（２４０）の元の位置に跳ね返り、前記ロック手段（２４２）を介して前記ベース部材凹部（１８０）と係合することを特徴とする、
請求項６〜７のいずれか一項に記載のプラグコネクタ。
【請求項９】
前記キャッチ突起（２００）が前記ロック手段（２４２）を通過した後、前記弾性ロック要素（２４０）が前記弾性ロック要素（２４０）の元の位置に再び跳ね返ることにより、前記ロック手段（２４２）は、ポジティブロック方式で前記キャッチ突起（４２０）の背後に係合することを特徴とする、
請求項６〜８のいずれか一項に記載のプラグコネクタ。
【請求項１０】
前記第１の寸法（ｃ）は前記第２の寸法（ａ）よりも大きいことを特徴とする、
請求項６〜９のいずれか一項に記載のプラグコネクタ。
【請求項１１】
前記第３の寸法（ｂ）は、前記第２の寸法（ａ）および前記第１の寸法（ｃ）よりも大きいことを特徴とする
請求項７、または、請求項７を含む請求項８〜１０のいずれか一項に記載のプラグコネクタ。
【請求項１２】
前記第４の寸法（ｄ）は、前記第１の寸法（ｃ）、前記第２の寸法（ａ）および前記第３の寸法（ｂ）よりも大きいことを特徴とする、
請求項７、または、請求項７を含む請求項８〜１１のいずれか一項に記載のプラグコネクタ。
【請求項１３】
前記ベース部材（１１０）および前記スライドブッシュ（４００）は、非弾性又は非可撓性の材料、特に金属を含むことを特徴とする、
請求項１〜８のいずれか一項に記載のプラグコネクタ。
【請求項１４】
前記キャッチスリーブ（２００）は、少なくとも２つのレール状の案内要素（２７０）を有し、
前記スライドブッシュは、少なくとも２つの相手案内要素（４７０）を有し、
前記案内要素（２７０）は、前記キャッチスリーブ（２００）上の前記スライドブッシュ（４００）の芯出し嵌合が確保されるように前記相手案内要素（４７０）に対応することを特徴とする、
請求項１〜１３のいずれか一項に記載のプラグコネクタ。
【発明の詳細な説明】
【技術分野】
【０００１】
本発明は、一般的に、特許請求項１に記載のプラグコネクタに関する。
【背景技術】
【０００２】
かかるプラグコネクタは、ロック可能なプラグシステムの一部であり、このシステムは、このプラグコネクタと、このプラグコネクタに関連し且つ嵌合作業によってこのプラグコネクタに対して軸方向に接続される相手プラグコネクタのロックデバイスによって意図しない係合解除から保護される。このプラグコネクタは、一般的に、実質的に２つのハウジング部、即ち、コネクタヘッドと、軸方向に移動可能に配置されるスライドブッシュとを備える。このスライドブッシュは、一般的に、上記プラグシステムのロック解除デバイスとして機能する。上記プラグシステムが組み立てられると、相手プラグコネクタとプラグコネクタは、スライドブッシュによって係合されるが、プラグシステムが分解されると、スライドブッシュは、プラグシステムの係合を解除するために、相手プラグコネクタから離れる向きの挿入方向に変位する。一般的に、かかるプラグシステムは、それ相応に頑丈且つ耐久性のあるように構成されることを意図する電気プラグ接続である。この場合、例えばコネクタヘッドおよびスライドブッシュ等のプラグシステムに含まれるハウジング部が、例えば金属等の非弾性材料から製造され、それにより、そのキャッチ接続部を備える従来から知られるプラグコネクタは非常にコストが掛かるので不利であることが分かっている。
【発明の概要】
【発明が解決しようとする課題】
【０００３】
従って、本発明の目的は、一方で、弾性材料を含まないプラグコネクタのハウジング部を単純且つ確実な方法にて互いに耐久的に接続し、他方で、対応する相手プラグコネクタに単純且つ確実な方法にて解除可能に接続することができ、且つ耐用年数が長いプラグシステムのためのプラグコネクタを提供することである。
【課題を解決するための手段】
【０００４】
この目的は、請求項１の特徴を有するプラグコネクタによって達成される。好適な発展形態が従属項に提示される。
【０００５】
コネクタヘッドであって、壁を有するブッシュ状のベース部材と、端側に設けられる少なくとも１つのケーブル接続要素とを有するコネクタヘッドと、前記ベース部材を受容するためのスライドブッシュであって、挿入方向ｘに軸方向に前記ベース部材上に嵌合することができるスライドブッシュを備えるプラグコネクタであって、前記ベース部材および前記スライドブッシュは、前記スライドブッシュと前記ベース部材との間に配置されるブッシュ状のキャッチスリーブによって互いに対して解除不能に接続される。このように、前記キャッチスリーブは、２つのハウジング部材、即ち、前記ベース部材および前記スライドブッシュから独立して製造することができる。その結果、前記スライドブッシュおよび前記ベース部材は、少なくとも部分的に弾性材料を有する前記キャッチスリーブとは異なる材料を含むことができるようにすることもできる。
【０００６】
従って、有利な一実施形態では、前記キャッチスリーブは、少なくとも第１の寸法ｃだけ内側が互いから離間する前記ブッシュ壁の２つの互いに対向する領域に、前記ブッシュ壁よりも前記ブッシュ状のキャッチスリーブの外方と内方の両方に部分的に突出する弾性ロック要素を有する。このように、前記キャッチスリーブは、前記ベース部材の前記ブッシュ状の壁の上に嵌合することができるようにすることができ、前記キャッチスリーブは、前記完全に嵌合した位置において前記内方に突出する前記領域によって、それに対応する前記ベース部材上の領域と嵌合することができる。
【０００７】
特に好適な一実施形態では、前記ロック要素は、前記キャッチスリーブの軸方向に延出し、一つの側にて前記キャッチスリーブに接続される弾性舌状部と、前記舌状部の自由端に位置するロック手段とによってそれぞれ形成され、前記ロック手段は、第１の側では、前記挿入方向ｘに対して横方向に且つ半径方向内方に突出し、且つ第２の側では、前記挿入方向ｘに対して横方向に且つ半径方向外方に突出し、前記第１の側および前記第２の側は、半径方向外向きの第１の外側スライド面と、半径方向内向きの内側スライド面とによって互いに接続され、前記２つのスライド面は、互いに平行に配置され且つ互いから離間する。その結果、前記ロック手段は、略平行四辺形の形状である。或いは、前記２つのスライド面は、前記挿入方向ｘに互いから離間して配置されてもよく、原則として、本実施形態によって、前記キャッチスリーブが当該プラグコネクタの前記ベース部材上に嵌合させられる間に、前記弾性ロック要素は、前記ベース部材上のその前記端位置に到達するとその初期位置に戻るために外方又は内方に弾発し、前記ベース部材上の対応する相手ストッパと係合することが確保されねばならない。この端位置に到達した後、結果的に、前記キャッチカラーを前記ベース部材から取り外すことができなくなる。
【０００８】
前記キャッチスリーブの特に好適な変形例では、前記ブッシュ壁は、第１の側および第２の側を有してもよく、前記弾性ロック要素は、前記第２の側から前記互いに対向する領域にて凹部内に突出する。この凹部は、前記第１の側における前記キャッチスリーブが連続する縁を有するように、当該ブッシュ壁の前記第１の側が、前記ブッシュ壁のウェブ状領域によって、前記ロック要素の前記自由端から間隔を空けて閉じられる。このようにして、前記キャッチスリーブの前記ブッシュ壁は、前記挿入作業時に変形せず、それにより、前記キャッチスリーブが本質的により安定的で、その結果、より耐久性があることを最大限確保することができる。
【０００９】
前記ベース部材は、好ましくは、少なくとも、少なくとも第２の寸法ａだけ外側が互いから離間する前記壁の２つの互いに対向する領域に、凹部を有し、当該凹部は、それらがポジティブロック方式で前記キャッチスリーブの前記前記弾性ロック要素の前記ロック手段を受容するように形成される。前記スライドブッシュが、前記ベース部材とその上に嵌合される前記キャッチスリーブとの上に嵌合させられる場合、少なくとも第４の寸法ｄだけ内壁が互いに離間する前記スライドスリーブは、まず、その前記第１の側にて、その前記半径方向内向きの先端によって、前記凹部の前記傾斜面上に前記ロック手段を押圧し、それにより、前記キャッチ突起が前記ロック手段を通過することができる。
【００１０】
好適な一実施形態によれば、前記スライドブッシュは、少なくとも、その前記壁の２つの互いに対向する領域にキャッチ突起を有し、前記キャッチ突起の内向き先端は、少なくとも第３の寸法ｂだけ互いから離間し、前記キャッチ突起は、前記キャッチスリーブの前記ロック手段に対してポジティブロック接続を形成するように形成される。このように、前記キャッチ突起が、引き続きの挿入作業中に、前記ロック手段の前記第２の側、即ち、半径方向外方に突出する側まで前記ロック手段の前記半径方向外向きの外側スライド面上でさらにスライドすることが保証される。前記ロック要素は、それにより、さらに下方に押され、その前記内向きのスライド面を備える前記ロック手段が前記凹部の前記傾斜面上にポジティブロック方式で載置されるように屈曲する。前記キャッチ突起が前記ロック手段を通過した後、又は前記スライドブッシュがその前記完全に挿入された端位置にある時、前記ロック手段は、再び直立になり、前記ロック要素は、それぞれの開始位置に跳ね返る。この位置では、前記キャッチ突起は、前記スライドブッシュが前記ベース部材および前記嵌合したキャッチスリーブから取り外されることができなくなるようにポジティブロック方式で前記ロック手段の背後に嵌合する。
【００１１】
従って、前記第１の寸法ｃは、前記キャッチスリーブが前記ベース部材上に嵌合されることができるように前記第２の寸法ａよりも大きいと有利である。
【００１２】
前記スライドブッシュの前記キャッチ突起も前記ベース部材上に嵌合されることができ、且つ、この場合、前記キャッチスリーブの前記ロック手段が前記凹部の前記傾斜面まで進むことができるように、前記第３の寸法ｂは、前記第２の寸法ａおよび前記第１の寸法ｃよりも大きいとさらに有利である。
【００１３】
この場合、前記スライドブッシュの前記内壁が前記ベース部材上と前記キャッチスリーブ上の両方をスライドすることができ、完全に嵌合した位置の前記ロック要素がその前記開始位置へ跳ね返ることができるように、前記第４の寸法ｄは、前記第１の寸法ｃ、前記第２の寸法ａおよび前記第３の寸法ｂよりも大きい。
【００１４】
特に有利な一実施形態では、前記ベース部材およびスライドブッシュは、それらの一方が他方に押し込まれる際に、それらができる限り変形されないように、非弾性又は非可撓性の材料、特に金属製である。このようにして、前記プラグコネクタは、非常に安定的であり、それにより、長い使用期間が保証されることができる。
【００１５】
特に好適な一実施形態では、前記キャッチスリーブは、前記キャッチスリーブ上の前記スライドブッシュの案内された芯出し嵌合が確保されるように前記スライドスリーブに嵌合される相手案内要素に対応する２つのレール状の案内要素を有する。
【００１６】
本発明のその他の特徴、利用可能性および利点は、図面に示す本発明の本実施形態の以下の説明から理解されることになる。この場合、図面にて説明又は例示される特徴は、本特許請求の範囲へのそれらの組み込みの有無又はそれらの従属性の有無を問わず、且つ本明細書又は図面におけるそれらの言葉遣い又は描写を問わず、本発明の主題に関して、それ自体で、又は任意の組み合わせにおいて、説明的な性質のものに過ぎず、本発明を制限する意図は全くないことが保証されるべきである。
【図面の簡単な説明】
【００１７】
本発明は、図面を参照して以下により詳細に説明される。
【図１】本発明に係るプラグコネクタを分解した斜視の概略図である。
【図２】接続作業時の図１に示すプラグコネクタの斜視の概略的な断面図である。
【図３】完全に組み付けられた状態のプラグコネクタの図２に対して９０°回転した斜視の概略的な断面図である。
【図４】第１の変形例におけるキャッチスリーブの斜視の断面図である。
【図５】第２の変形例におけるキャッチスリーブの斜視の断面図である。
【図６】図５に示すキャッチスリーブの斜視の概略的な縦断面図である。
【発明を実施するための形態】
【００１８】
図１は、本発明に係るプラグコネクタの一実施形態を分解した斜視の概略図であり、このプラグコネクタは、コネクタヘッド１００と、キャッチスリーブ２００と、シールリング３００と、ブッシュ状のスライドブッシュ４００とを備える。コネクタヘッド１００は、壁１２２を有し且つ縁に丸みを付けた矩形に構成されるブッシュ状ベース部材１１０を含む。さらに、ベース部材１１０は、その一端に、突出部１１３と、その上に軸方向に配置される端側ケーブル接続要素１１４とを有する少なくとも１つのカラー１１２を有する。ケーブル接続要素１１４は、円形に構築され、その自由端から突出部１１３までに雄ねじを有する。さらに、ケーブル接続要素１１３には、ベース部材１１０によって区画される通路１１５と連通する通路が形成されている。
【００１９】
ケーブル接続要素１１４は、金属から形成されることが好ましいが、その他の材料、例えばプラスチック材料から形成されてもよい。カラー１１２に一体化されることができる突出部１１３と、ベース部材１１０は、両方とも、非可撓性又は非弾性金属から製造されるが、その代わりに、例えば射出成形法によって、非可撓性又は非弾性のプラスチック材料からも製造される。
【００２０】
ベース部材１１０は、第１の領域１２３および第２の領域１２４を備え、ベース部材１１０は、外側が寸法ａだけ互いに離間するその壁１２２の互いに対向する領域１２３，１２４に凹部を有し、これらの凹部は、ポジティブロック方式でキャッチスリーブ２００のロック手段を受容するように形成される。
【００２１】
ベース部材１１０の壁１２２は、カラー１２２とは反対の側に、半径方向内向きの方向において上流であるスライド面を形成し、挿入方向ｘには外周溝１５０が形成され、それに隣接して外周端面１６０が上流に配置される。溝１５０は、例えば、シールリング３３０の挿入状態において、ベース部材１１０とスライドブッシュ４００との間に埃および水から保護される接続が確保されるように、コネクタヘッド１１０とスライドスリーブ４００の係合後に形成される中間の空間を封止するために、シールリング３００、好ましくはＯリングを受容することができる。
【００２２】
ベース部材１１０の前端面１６０は、壁１２２と同じ直径を有し、挿入方向に対して横断的に延在するスロット１６５を備える。スロット１６５は、コネクタブロック６００をコネクタヘッド１００と係合するためにコネクタヘッド１００に挿入することができる図１に示されないコネクタブロック６００のキャッチフック６１０を受容することができる。
【００２３】
コネクタヘッド１００はキャッチスリーブ２００をさらに備え、キャッチスリーブ２００は、ブッシュ状の壁２０５が縁に丸みを付けた矩形に形成され、キャッチスリーブ２００をベース部材１１０上に嵌合することができるようにベース部材１１０を受容するための貫通開口２１０を有する。キャッチスリーブ２００は、ブッシュ壁２０５上で互いに対向する第１の領域２１３および第２の領域２１４を有する。さらに、キャッチスリーブ２００は、これらの２つの領域２１３，２１４において、２つの案内要素２７０と、案内要素２７０同士間に配置される弾性ロック要素２４０とを有し、ロック要素２４０は、ブッシュ壁２０５よりもブッシュ状キャッチスリーブ２００の外方および内方に向かって部分的に突出している。弾性ロック要素２４０は、その自由端２４１にロック手段２４２を有し、このロック手段２４２は、一方で、その第１の側２４３において、軸方向に対して横断的に且つ半径方向内方に突出し、他方で、その第２の側２４４において、軸方向に対して横断的に且つ半径方向外方に突出し、第１の側２４３と第２の側２４４は、第１の半径方向外向きの外側スライド面２４５および半径方向内向きの内側スライド面２４６によって互いに接続され、これらの２つのスライド面２４５，２４６は、ロック手段２４２ができる限り平行四辺形の形状に構成されるように、互いに平行に配置され且つ互いから離間している。
【００２４】
さらに、ベース部材１１０は、外側が互いに寸法ａだけ離間するその壁１２２の２つの互いに対向する領域１２３，１２４において凹部１８０を有し、凹部１８０は、キャッチスリーブ２００のロック手段２４２をポジティブロック方式で受容するように形成される。凹部１８０は、それぞれ、２つの領域１２３，１２４を備えるカラー１１２とは反対を向く側１８１において直角を成し、それによって、ロック手段２４２の第１の側２４３のための相手ストッパが形成される。カラー１１２と対向する凹部１８０の側１８２は、対照的に、半径方向内方に延出し、それにより、何れの場合も、壁１２２の２つの領域１２３，１２４の一方と傾斜面１８３を形成する。
【００２５】
ロック手段２４２の内側スライド面２４６も、挿入作業中のロック手段２４２が、それぞれ、壁１２２の２つの領域１２３，１２４の一方の上をキャッチスリーブ２００とベース部材１１０との間でスライドするように、傾斜案内面を形成する。ロック手段２４２の傾斜スライド面２４６の結果、弾性ロック要素２４０は、挿入作業中の開始位置から開始して、半径方向外向きに弾性的に変形され、その自由端２４１を備えるロック手段２４２がベース部材１１０の凹部１８０に到達すると、そのそれぞれの開始位置に跳ね返り、その箇所にて、キャッチスリーブ２００がベース部材１１０から外れることができなくなるようにカラー１１２とは反対を向く側１８１と係合する。
【００２６】
さらに、キャッチスリーブ２００は、ブッシュ壁２０５上に互いに対向する第３の領域２１５および第４の領域２１６を有する。これらの２つの領域２１５，２１６では、キャッチ要素２２０は、２つの弾性舌状部２２１を有し、２つの弾性舌状部２２１は、互いに平行且つ互いに離間し、且つ軸方向に対して横断的に延在する接続要素２３０によって互いに接続される。舌状部２２１は、それぞれ、軸方向に対して横断的に且つ半径方向内向きの方向に突出するキャッチフック２２３を備える自由端２２２を有する。キャッチフック２２３の突出部は、舌状部２２１の半径方向内向きの下側と角度αを形成し、半径方向に対して斜めに軸方向外方に延出する。これにより結果的に形成される傾斜したキャッチフック面２２４は、それぞれ、案内面を形成し、これらの案内面を介して、キャッチ要素２２０は、キャッチフック面２２４に関連する面である相手プラグコネクタ７００の面とともに、キャッチフック２２３を受容するために設けられる凹部内へスライドし、それによって、相手プラグコネクタ７００とのキャッチスリーブ２００ひいてはコネクタヘッド１００全体のロックがなされる。
【００２７】
スライドブッシュ４００は、ベース部材１１０のカラー１１２に略対応する外径と、コネクタヘッド１００を受容するのに適した内径とを有する通路４１０を有する。スライドブッシュ４００は、何れの場合も、キャッチスリーブ２００のキャッチ要素２２０と関連する内側にてロック解除要素４３０（図１には図示せず）を備える。ロック解除要素４３０は、スライドブッシュ４００と一体的に形成され、案内部材４３２および持ち上げ部材４３４を備え、持ち上げ部材４３４は、案内部材４３２を保持し、案内部材４３２が、持ち上げ部材４３４と９０°よりも大きな角度を成すようにコネクタヘッド１１０とは反対を向く側に形成される。これにより、コネクタヘッド１１０に面するロック解除要素４３０の側には、キャッチ要素２２０の接続要素２３０を受容するのに適した隙間が形成される。ロック解除要素４３０は、挿入方向ｘに対して横断的にスライドブッシュ４００の内側において中心に置かれ、スライドブッシュ４００がコネクタヘッド１１０およびキャッチスリーブ２００に嵌合した後に接続要素２３０が案内部材４３２に当接するように前記形成された隙間によって接続要素２３０を受容するように挿入方向ｘに配置される。
【００２８】
スライドブッシュ４００は、その内側に、４つのレール状の相手案内要素４７０をさらに有し、４つのレール状の相手案内要素４７０は、キャッチスリーブ２００上へのスライドブッシュ４００の芯出し嵌合が確保されるように、キャッチスリーブ２００の外側における４つのレール状の案内要素２７０に対応する。相手案内要素４７０および案内要素２７０は、それぞれ、レール状に構成され、挿入方向ｘと平行に延在する。ロック要素２４０は、キャッチスリーブ２００の２つの案内要素２７０同士間に配置され、キャッチ突起４２０は、スライドブッシュ４００の相手案内要素４７０同士間に配置され、案内要素２７０と相手案内要素４７０は、挿入方向に所定の長さを備えるように構成される。相手案内要素４７０およびキャッチ突起４２０は、相手案内要素４７０が挿入作業中時にキャッチスリーブ２００の案内要素２７０上に案内されるように垂直に配置され、キャッチ突起４２０の内側に向かう先端４２３は、寸法ｂだけ互いに離間する。さらに、キャッチ突起４２０は、キャッチスリーブ２００のロック手段２４２とポジティブロック接続を形成するような形を有している。
【００２９】
スライドブッシュ４００のキャッチ突起４２０は、コネクタヘッド１００とは反対を向く側に、相手ストッパ４２１および面４２２を有し、面４２２は、まず相手ストッパ４２１からスライドブッシュ４００の内側と平行に延在し、次にスライドブッシュ４００の内側に対して半径方向外向きの方向に延出する。ロック手段２４２の上部傾斜スライド面２４５も傾斜案内面を形成し、スライドブッシュ４００がキャッチ手段２００およびベース部材１１０の上に嵌合されるのと同時に、ロック手段２４２が、キャッチ突起４２０の傾斜面４２２上をスライドするようにしている。この場合、少なくとも第３の寸法ｂだけ互いに離間している内向きの先端４２３を有するスライドブッシュ４００のキャッチ突起４２０は、ロック手段２４２の第２の側２４４まで、即ち、半径方向外方に突出する側まで、ロック手段４２４の半径方向外向きの外側スライド面２４５上にさらに嵌合され、それにより、開始位置からから開始するロック要素２４０は、挿入作業中に凹部１８０の方向に弾性的に半径方向内方にさらに押し下げられ、ロック手段２４２がその内向きの下側スライド面２４６および隣接する舌状部２４７によってポジティブロック方式で凹部１８０の傾斜面上に載置されるように変形する。キャッチ突起４２０がキャッチスリーブ２００のロック手段２４２を通過した後、又はスライドブッシュ４００がその完全に嵌合した端位置に位置する時、ロック要素２４０ひいてはロック手段２４２も、それぞれの元の位置に跳ね返り、それにより、ロック手段２４２は、ポジティブロック方式でキャッチ突起４２０の後方に係合し、キャッチ突起４２０の後方でスライドブッシュ４００の相手ストッパ４２１と係合する。ベース部材１１０およびキャッチスリーブ２００上にスライドブッシュ４００が完全に嵌合した位置では、ロック手段２４２は、結果的に、変形していない開始位置に位置する。
【００３０】
カラー１１２に面する凹部１８０の側１８２におけるロック手段２４２の構成により、スライドブッシュ４００は、抜け落ちることが防止され、それにより、ベース部材１１０とキャッチスリーブ３００との間の解除不能な接続が生じる。同時に、ベース部材１１０とスライドブッシュ４００との間には解除可能な接続が可能になる。スライドブッシュ４００がコネクタヘッド１００に嵌合された後、スライドブッシュ４００は、カラー１１２と接触し、挿入方向において制限される。案内要素２７０および相手案内要素４７０は、さらに、コネクタヘッド１００又はスライドブッシュ４００の内側に面するそれらの表面側が、コネクタヘッド１００又はスライドブッシュ４００の内側とスライドしながら接触するように構成される。それにより、スライドブッシュ４００とコネクタヘッド１００との水平な当接が得られる。
【００３１】
スライドブッシュ４００は、コネクタヘッド１００上におけるスライドスリーブ４００の相互の嵌合およびコネクタヘッド１００上におけるスライドスリーブ４００の軸方向の移動を簡素化するために、ロック解除要素４３０と反対の外表面側にグリップバー４４０を有する。スライドブッシュ４００は、さらに、グリップバー４４０とそれと反対の外表面側の縁との間の外表面上に、スライドブッシュ４００に一体化され且つ突起として形成される表示手段４８０を含む。
【００３２】
図２は、スライドブッシュ４００がコネクタヘッド１００上に嵌合される間の図１に示すプラグコネクタの斜視の概略的な断面図である。スライドブッシュ４００は、ベース部材が、この場合、その端面１６０およびそこに形成されたスロット１６５によって、スライドブッシュ４００の貫通開口４１０内に突入するように、既に部分的にコネクタヘッド１００上に押し込まれている。キャッチスリーブ２００は、スライドブッシュ４００によって未だ完全には被覆されていない。キャッチ突起４２０は、ロック手段２４２の上部傾斜スライド面２４５がキャッチ突起４２０の傾斜面４２２上をスライドするように、僅かにロック要素２４０のロック手段２４２上に押し込まれている。ロック手段２４２の傾斜外側スライド面２４５およびキャッチ突起４２０の傾斜面４２２の結果、開始位置から開始するロック要素２４０は、スライドブッシュ４００がそのキャッチ突起４２０によって弾性ロック要素４２０のロック手段２４２上をスライドすることができるように、挿入作業時に、ベース部材１１０の凹部１８０内へ半径方向内方に弾性的に押し込まれる。ベース部材１１０の貫通開口１１５内には、コネクタブロック６００が挿入され、ベース部材１１０のスロット１６５と係合させられる。原則として、コネクタブロック６００は、任意の挿入面を有することができる。溝１５０内には、ベース部材１１０とスライドスリーブ４００の間で埃および水から保護される接続が確保されるように封止するために、シールリング３００が受容されている。
【００３３】
図３は、スライドブッシュ４００に関連するロック状態における組み立てられたプラグコネクタの図２に対して９０°回転させた斜視の概略的な断面図である。スライドブッシュ４００は、コネクタヘッド１００がスライドスリーブ４００を通り、その端面１６０とそこに形成されたスロット１６５がスライドブッシュ４００の外に突出するように、コネクタヘッド１００上に完全に嵌合されている。スライドブッシュ４００は、ロック解除要素４３０の案内部材４３２の半径方向内方を向く面がベース部材１１０上に載置されている。各案内部材４３２は、この場合、その端側に、実質的に丸みを帯びた端部を有し、それにより、この端部は、スライドブッシュ４００がコネクタヘッド１００上に嵌合されるとスライドランプとして機能する。この嵌合は、この場合、案内要素２７０が、相手案内要素４７０と共に、コネクタヘッド１００をスライドスリーブ４００内の中心で案内することを可能にするように行われる。
【００３４】
相手案内要素４７０が案内要素２７０の対応する溝内を案内され、コネクタヘッド１００がキャッチスリーブ２００の案内要素２７０によってスライドブッシュ４００と遊びなしで当接し、同時にスライドブッシュ４００が相手案内要素４７０によってコネクタヘッド１００と遊び無しで当接するため、嵌合作業時のスライドブッシュ４００の回転移動をできる限り防止することができる。コネクタヘッド１００とのスライドスリーブ４００の水平な遊び無しの当接によって、スライドブッシュ４００がさらに押し込まれると、ベース部材１１０上でのロック解除要素４３０の案内部材４３２の傾きの無い、実質的に遊びの無い当接および容易な案内がさらに可能になる。この場合、案内部材４３２の半径方向外方を向く側は、まず、接続要素２３０と予め張力が掛けられない当接をするように移動する。
【００３５】
スライドブッシュ４００のさらなる変位により、スライドブッシュ４００がロック状態に位置し、同時に嵌合作業の終わりを画定するように、ロック解除要素４３０と接続要素２３０との、およびベース部材１１０とロック解除要素４３０との予め張力が掛けられた当接が得られる。この場合、接続要素４３０は、ベース部材１１０の壁１２２によって、案内部材４３２の半径方向外方を向く側にて予め張力が掛けられて当接をしている。接続要素４３０は、この場合、カラー１１２の反対を向く半径方向内方を向く側に、持ち上げ部材４３４の傾斜に対応する傾斜部を有する。接続要素４３０は、それにより、持ち上げ部材４３４とさらに当接し、それにより、コネクタヘッド１００に対するスライドブッシュ４００の水平な当接が得られる。案内部材４３２とスライドスリーブ４００によって形成され、接続要素２３０を受容する隙間は、プラグ接続を解除してプラグ接続がロック解除状態に変位すようにスライドブッシュ４００を挿入方向ｘに移動させると接続要素２３０が弾性ロック舌状部２２１を持ち上げるような高さを有し、それにより、プラグコネクタは、簡単な方法で相手プラグコネクタから取り外すことができる。
【００３６】
この変位移動中に、スライドブッシュ４００は、上述したように、コネクタヘッド１００と遊びの無いように、相手案内要素４７０を介して水平当接し、且つロック解除要素４３０を介して垂直に予め張力が掛けられて当接している。従って、遊びの無い且つ予め張力が掛けられた状態での当接は、コネクタヘッド１００に関して、案内要素２７０、接続要素２３０、およびベース部材１１０の壁１２２を介して得られる。それにより、スライドブッシュ４００が移動させられるときの移動軸を中心とするスライドブッシュ４００の回転が確実に防止される。ロック舌状部２２１は、接続要素２３０によってベース部材１１０から均一に持ち上げられ、それにより、プラグ接続は、簡単な方法で解除することができる。
【００３７】
図３に示すスライドブッシュ４００のロック状態では、スライドブッシュ４００は、カラー１１２に近い方の端部が、挿入方向にカラー１１２の上流に配置される支持カラー１１７上に当接している。ロック舌状部２２１の半径方向外向きの表面とグリップバー４４０とは反対のスライドブッシュ４００の内側との間の間隔は、さらに、スライドブッシュ４００が、まずスライドブッシュ４００に対して半径方向内方に向けられた後に軸方向に向けられる押圧力によって軸方向に移動させられる時に、ロック舌状部２２１の作用が、カラー１１２に近いスライドブッシュ４００の端部が支持カラー１１７上で支持されることによって損なわれることがないように十分に選択される。支持カラー１１７が連続して形成された状態で示されているが、支持カラー１１７は、ベース部材１１０の表面側にのみ構成されてもよく、又は類似の形態を有してもよく、支持カラー１１７それ自体は、スライドブッシュ４００のための支持機能を必要とする。
【００３８】
図４は、第１の変形例におけるキャッチスリーブの斜視の断面図である。ここで、第１の側２０２および第２の側２０４を備えるブッシュ壁２０５を有する一種のキャッチリングであると有利であることがはっきりと分かる。さらに、ブッシュ壁２０５は、互いに対向する複数の領域を有する。一方で、第１の領域２１３は、第２の領域２１４に対向して位置し、他方で、第３の領域２１５は、第４の領域２１６に対向する。
【００３９】
第１の領域２１３および第２の領域２１４は、２つのレール状の案内要素２７０同士間のそのブッシュ壁２０５上に、少なくとも１つの弾性ロック要素２４０を有する。ロック要素２４０は、ブッシュ状のキャッチスリーブ２００のブッシュ壁２０５よりも、半径方向外方および半径方向内方から見た何れの場合も、部分的に突出する。この場合、ロック要素２４０は、キャッチスリーブ２００の軸方向に延出し且つ一方の側でキャッチスリーブ２００に接続される弾性舌状部２４７を通して延在する。舌状部２４７の自由端２４１上にはロック手段２４２が構成され、ロック手段２４２は、一方で、ロック手段２４２の第１の側２４３では、挿入方向ｘに対して横断的に且つ半径方向内方に突出し、他方で、ロック手段２４２の第２の側２４４では、挿入方向ｘに対して横断的に且つ半径方向外方に突出する。第１の側２４３および第２の側２４４は、一方で、第１の半径方向外向きの外側スライド面２４５によって、且つ、他方では、半径方向内向きの内側スライド面２４６を介して、互いに接続され、２つのスライド面２４５，２４６は、ロック手段２４２が可能な限り平行四辺形の形状に構成されるように、互いに平行に配置され且つ互いから離間している。
【００４０】
キャッチスリーブ２００の第３の領域２１５および第４の領域２１６は、そのブッシュ壁２０５上に、２つの弾性舌状部２２１を有するキャッチ要素２２０を有する。２つの舌状部２２１は、挿入方向ｘに平行に配置され、互いから離間し、軸方向に対して横断的に延在する接続要素２３０によって互いに接続される。舌状部２２１は、それぞれ、軸方向に対して横断的に突出し且つ半径方向内方に突出するキャッチフック２２３を備える自由端２２２を有する。キャッチフック２２３の突出部は、舌状部２２１の半径方向内向きの下側と角度αを形成し、軸方向から見るとキャッチフックの先端から半径方向斜め外方に延出する。それによって形成される傾斜キャッチフック面２２４は、結果的に、案内面を形成し、その案内面を介して、キャッチ要素２２０は、キャッチフック面２２４と関連する面である相手プラグコネクタ７００の面と共に、キャッチフック２２３を受容するために設けられる凹部内へスライドし、それによって、相手プラグコネクタ７００とのキャッチスリーブ２００ひいてはコネクタヘッド１００全体のロックが成される。
【００４１】
図５および図６に示すキャッチスリーブ２００の第２の変形例は、原則として、図１〜図４におけるキャッチスリーブ２００と同様に構成されるので、それに対応して、以前に使用された参照番号が採用されることができる。キャッチスリーブ２００の第２の変形例は、弾性ロック要素２４０がブッシュ壁２０５の外周が閉じられた凹部２０６内に突出する点で第１の変形と異なる。凹部２０６は、キャッチスリーブ２００の第１の側２０２で、キャッチスリーブ２００がその第１の側２０２に途切れの無い縁を有するようなロック要素２４０の自由端２４１からの間隔を有するように、２つの案内要素２７０同士間に延在するブッシュ壁２０５のウェブ状領域２７１によって閉じられ、それにより、嵌合作業時の特に良好な安定性が保証されることができる。
【００４２】
第２の変形例でも、ロック要素２４０は、ブッシュ状のキャッチスリーブ２００のブッシュ壁２０５よりも、半径方向外方と半径方向内方の両方に部分的に突出する。この場合、ロック要素２４０は、キャッチスリーブ２００の軸方向に延出し且つ一方の側がキャッチスリーブ２００に接続される弾性舌状部２４７を通して延在する。舌状部２４７の自由端２４１にはロック手段２４２が形成され、ロック手段２４２は、一方で、第１の側２４３では、挿入方向ｘに対して横断的に且つ半径方向内方に突出し、他方で、第２の側２４４では、挿入方向ｘに対して横断的に且つ半径方向外方に突出する。第１の側２４３は、第１の半径方向内向きのスライド面２４６を有し、第２の側２４４は、第２の半径方向外向きのスライド面２４６を有する。さらに、ロック手段２４２の第１の側２４３および第２の側２４４と、ひいては２つのスライド面２４５，２４６も、互いから間隔を空けて挿入方向ｘに配置される。
【００４３】
本発明は、説明した実施形態に限定されず、その他の均等な実施形態も含む。図面の説明は、本発明の理解を与えるためのものに過ぎない。
【図１】
0006513654.tif 000002
【図２】
0006513654.tif 000003
【図３】
0006513654.tif 000004
【図４】
0006513654.tif 000005
【図５】
0006513654.tif 000006
【図６】
0006513654.tif 000007